(57)【要約】      （修正有）【課題】凹凸のある各種下地（屋上、ルーフバルコニー、開放廊下、バルコニー等）にも裏面剥離シートを剥すだけで簡便に施工できるタイル一体型防水シートを提供する。【解決手段】複数の陶磁製タイル２、防水材シート３、粘着剤層４および剥離シート５からなるタイル一体型防水シート１であって、複数の陶磁製タイルは防水材シートの一方の面に目地間隔を設けて配列接着され、防水材シートの他方の面に粘着剤層が設けられ、粘着剤層は剥離シートによって被覆される。陶磁製タイルは１辺の長さが２０〜１０５ｍｍの正方形または長方形であり、目地に目地材が存在しないかまたは目地材が可撓性材料からなる。防水材シートは、不織布、織布または紙からなる芯材８にアスファルト１０を含浸塗覆してなるアスファルトシート１１である。【選択図】図２
0003200478.tif 000002
【実用新案登録請求の範囲】
【請求項１】
複数の陶磁製タイル、防水材シート、粘着剤層および剥離シートからなるタイル一体型防水シートであって、複数の陶磁製タイルは防水材シートの一方の面に目地間隔を設けて配列接着され、防水材シートの他方の面に粘着剤層が設けられ、粘着剤層は剥離シートによって被覆され、陶磁製タイルは１辺の長さが２０〜１０５ｍｍの正方形または長方形であり、前記目地に目地材が存在しないかまたは目地材が可撓性材料からなり、防水材シートが、不織布、織布または紙からなる芯材にアスファルトを含浸塗覆してなるアスファルトシートであることを特徴とするタイル一体型防水シート。
【請求項２】
陶磁製タイルは１辺の長さが４０〜５５ｍｍの正方形であることを特徴とする請求項１に記載のタイル一体型防水シート。
【請求項３】
防水材シートが前記アスファルトシートの一方の面にプラスチックフィルムを積層したものであることを特徴とする請求項１または２に記載のタイル一体型防水シート。
【請求項４】
防水材シートの厚さが１．０〜２．０ｍｍであることを特徴とする請求項１〜３のいずれか１項に記載のタイル一体型防水シート。
【請求項５】
防水材シート側の陶磁製タイルの面の角部がＲ面取りされていることを特徴とする請求項１〜４のいずれか１項に記載のタイル一体型防水シート。
【考案の詳細な説明】
【技術分野】
【０００１】
本考案は、タイル一体型防水シートに関する。より詳しくは、本考案は、住宅等建造物の屋上、ルーフバルコニー、開放廊下、バルコニー等の床面に敷設する防水シートであって、防水材シートに複数のタイルを配列してなるタイル一体型防水シートに関する。
【背景技術】
【０００２】
屋外の苛酷な条件の下での置き敷き使用にも充分に耐えることのできるセラミックタイルマットとして、加硫ゴムチップをバインダーで固めてなるシート状物の表面に、セラミックタイルや石材などの複数個を、適当な目地間隔を設けて、ポリマーセメント系接着剤で接着してユニットとしたセラミックタイルマットが知られている（特許文献１）。
【先行技術文献】
【特許文献】
【０００３】
【特許文献１】特開平２−９５８４６号公報
【考案の概要】
【考案が解決しようとする課題】
【０００４】
特許文献１に開示されたセラミックタイルマットは防水性を有するものであるが、凹凸のある下地に必ずしも充分に追従しうるものではない。
本考案は、凹凸のある各種下地（たとえば、屋上、ルーフバルコニー、開放廊下、バルコニー等のコンクリート面やアスファルト系防水、塩ビシート防水、ウレタン塗膜防水面）にも裏面剥離シートを剥すだけで簡便に施工できるタイル一体型防水シートを提供する。
【課題を解決するための手段】
【０００５】
本考案は、複数の陶磁製タイル、防水材シート、粘着剤層および剥離シートからなるタイル一体型防水シートであって、複数の陶磁製タイルは防水材シートの一方の面に目地間隔を設けて配列接着され、防水材シートの他方の面に粘着剤層が設けられ、粘着剤層は剥離シートによって被覆され、陶磁製タイルは１辺の長さが２０〜１０５ｍｍの正方形または長方形であり、前記目地に目地材が存在しないかまたは目地材が可撓性材料からなり、防水材シートが、不織布、織布または紙からなる芯材にアスファルトを含浸塗覆してなるアスファルトシートであることを特徴とするタイル一体型防水シートである。
【０００６】
陶磁製タイルは、好ましくは、１辺の長さが４０〜５５ｍｍの正方形である。
好ましくは、防水材シートが前記アスファルトシートの一方の面にプラスチックフィルムを積層したものである。
好ましくは、防水材シートの厚さが１．０〜２．０ｍｍである。
好ましくは、防水材シート側の陶磁製タイルの面の角部がＲ面取りされている。
【考案の効果】
【０００７】
本考案のタイル一体型防水シートは、凹凸のある各種下地（たとえば、屋上、ルーフバルコニー、開放廊下、バルコニー等のコンクリート面やアスファルト系防水、塩ビシート防水、ウレタン塗膜防水面）に裏面剥離シートを剥すだけで簡便に施工でき、また、防水材シートと一体化しているため、相互にジョイントさせることで連続した防水層を形成することができる。
【図面の簡単な説明】
【０００８】
【図１】図１は、本考案の１つの実施形態のタイル一体型防水シートの部分破断平面図である。
【図２】図２は、本考案の１つの実施形態のタイル一体型防水シートの断面図である。
【考案を実施するための形態】
【０００９】
本考案は、複数の陶磁製タイル、防水材シート、粘着剤層および剥離シートからなるタイル一体型防水シートであって、複数の陶磁製タイルは防水材シートの一方の面に目地間隔を設けて配列接着され、防水材シートの他方の面に粘着剤層が設けられ、粘着剤層は剥離シートによって被覆され、陶磁製タイルは１辺の長さが２０〜１０５ｍｍの正方形または長方形であり、前記目地に目地材が存在しないかまたは目地材が可撓性材料からなり、防水材シートが、不織布、織布または紙からなる芯材にアスファルトを含浸塗覆してなるアスファルトシートであることを特徴とする。
【００１０】
以下、図面を参照して本考案を説明するが、本考案は図面に示されるものに限定されない。
図１は、本考案の１つの実施形態のタイル一体型防水シートの部分破断平面図である。図２は、本考案の１つの実施形態のタイル一体型防水シートの断面図であり、図１のＩ−Ｉ線断面図である。
タイル一体型防水シート１は、複数の陶磁製タイル２、防水材シート３、粘着剤層４および剥離シート５からなる。複数の陶磁製タイル２は防水材シート３の一方の面に目地間隔６を設けて配列接着されている。図２の実施形態では、陶磁製タイル２は接着剤層７を介して防水材シート３に接着されている。防水材シート３の他方の面には粘着剤層４が設けられ、粘着剤層４は剥離シート５によって被覆されている。防水材シート３は芯材８にアスファルト１０を含浸塗覆してなるアスファルトシート１１の一方の面にプラスチックフィルム１２を積層したものである。ただし、プラスチックフィルム１２は必ずしも必要ではない。
【００１１】
陶磁製タイル２は、限定するものではないが、株式会社カネキ製陶所製タイル「セシオン４５」、藤垣窯業株式会社製タイル「ディー・アイ・ワイタイル」などを使用することができる。
陶磁製タイル２は、下面角部にＲがついている（すなわち角部がＲ面取りされている）ことが好ましい。タイル下面角部が尖っていると、長期の歩行により、タイルの角部にて防水層表面を傷つける危険性が高い。タイル下面角部にＲをつけることで長期間の歩行にも耐えられる。防水層に接するタイル角部に１〜４ｍｍＲをつけることで体重８０ｋｇの人が４万回（１日１０回歩行で約１０年間想定）歩行しても問題ないことを繰り返し疲労試験にて確認した。
陶磁製タイル２は１辺の長さが２０〜１０５ｍｍの正方形または長方形であり、好ましくは１辺の長さが４０〜５５ｍｍの正方形である。
陶磁製タイルと陶磁製タイルの間の目地６に目地材が存在しないかまたは目地材が可撓性材料からなる。可撓性材料としては、限定するものではないが、シリコーン樹脂等が挙げられる。
１辺の長さが２０〜１０５ｍｍの陶磁製タイルを使用し、目地材を使用しないかまたは可撓性材料からなる目地材を用いることで１０ｍｍの下地凹凸にも追従することができる。
【００１２】
防水材シート３は、芯材８にアスファルト１０を含浸塗覆してなるアスファルトシート１１である。
【００１３】
芯材８は、不織布、織布または紙からなる。不織布および織布は、好ましくは、天然繊維、合成繊維またはガラス繊維からなり、より好ましくは合成繊維の不織布からなる。合成繊維としては、限定するものではないが、ポリエステル繊維、ポリアミド繊維、ポリオレフィン繊維、ポリビニルアルコール系繊維等が挙げられる。不織布としては、限定するものではないが、乾式法不織布、湿式法不織布、スパンボンド法不織布、メルトブローン法不織布、エアレイド法不織布、ケミカルボンド法不織布、サーマルボンド法不織布、ニードルパンチ法不織布、水流交絡法不織布等が挙げられる。なかでも好ましい芯材８は、ポリエチレンテレフタレート繊維のスパンボンド法不織布である。
【００１４】
アスファルト１０としては、限定するものではないが、ストレートアスファルト、ブローンアスファルト、溶剤脱瀝アスファルト、改質アスファルト等が挙げられ、なかでも改質アスファルトが好ましく使用できる。ここで、改質アスファルトとは、石油アスファルトにポリマーや天然アスファルト等を加え、耐流動性、低温柔軟性、骨材との付着性等の性状を改善したものをいう。
【００１５】
防水材シート３の厚さは、好ましくは０．８〜２．５ｍｍであり、より好ましく１．０〜２．０ｍｍであり、さらに好ましくは１．０〜１．５ｍｍである。防水材シートの厚さが厚すぎると、凹凸のある下地に追従することができない。
【００１６】
複数の陶磁製タイル２が防水材シート３の一方の面に目地間隔を設けて配列接着されている。目地間隔は、限定するものではないが、好ましくは３〜７ｍｍ、より好ましくは３〜５ｍｍである。配列パターンは、限定するものではないが、図１に示すように、碁盤の目状のパターン（縦および横の目地がそれぞれ一直線上に連続しているパターン）が好ましい。１枚のタイル一体型防水シート１に配列接着される陶磁製タイル２の数は、限定するものではないが、好ましくは４〜１００枚、より好ましくは９〜６４枚、さらに好ましくは２５〜４９枚である。
【００１７】
防水材シート３の他方の面には粘着剤層４が設けられ、粘着剤層４は剥離シート５によって被覆されている。
粘着剤層４を構成する粘着剤としては、粘着性を有するものであれば特に限定されないが、たとえば、ゴム系、ウレタン系、アクリル系、シリコーン系などの粘弾性重合体に、必要に応じて、ロジン系、石油樹脂などの粘着付与樹脂、軟化剤、充てん剤、老化防止剤、架橋剤等を配合したものを例示することができ、市販の粘着剤を用いることができる。粘着剤層４の厚さは、限定されないが、好ましくは０．１〜１．０ｍｍである。
剥離シート５は、剥離性を有するシートであれば特に限定されないが、たとえば、紙またはフィルムの片面または両面にシリコーン等の剥離剤を塗布したものを例示することができ、市販の剥離シートを用いることができる。
【００１８】
本考案のタイル一体型防水シートは、凹凸のある各種下地（たとえば、屋上、ルーフバルコニー、開放廊下、バルコニー等のコンクリート面やアスファルト系防水、塩ビシート防水、ウレタン塗膜防水面）に裏面剥離シートを剥すだけで簡便に施工できる。また、本考案のタイル一体型防水シートは、防水材シートと一体化しているため、相互にジョイントさせることで連続した防水層を形成することができる。
また、本考案のタイル一体型防水シートは、補修時にはバール等の工具により剥がすことができる。通常のタイルは、貼り付けモルタルごと撤去するので大規模な撤去作業となるが、本考案のタイル一体型防水シートは、防水材シートの強度があるため、材料破壊することなく下地から１枚ずつ撤去することができる。
また、本考案のタイル一体型防水シートは、粘着剤層の下地への接着強度・面積を確保することにより、高層階の風圧にも充分に耐えることができる。
また、本考案のタイル一体型防水シートは、各種下地に対して、各々適した下地処理により適用が可能である。
【実施例】
【００１９】
図１および図２に示されるタイル一体型防水シートを、以下の手順により、作製した。
防水材シート３として、ポリエステル系基材８（東洋紡株式会社製スパンボンド不織布，目付１５０ｇ／ｍ２）に改質アスファルト１０を含浸塗覆してなるアスファルトシート１１の片面にポリエステル系フィルム１２（ユニチカ株式会社製，厚さ２０μｍ）を積層し、他方の面に厚み１．０ｍｍの粘着剤と０．５ｍｍの剥離紙を積層させたもの（田島ルーフィング株式会社製「ガムクールＦＸ」，厚さ２．０ｍｍ）を用意し、縦３５０ｍｍ、横３５０ｍｍの寸法に裁断した。その防水材シート３のポリエステル系フィルム１２側の面に、接着剤７（田島ルーフィング株式会社製「ＶＴエース」）を１５００ｇ／ｍ２の塗布量で塗布し、その上に１辺が４５ｍｍの正方形の陶磁製タイル２（株式会社カネキ製陶所製「セシオン４５」）３６枚を、５ｍｍの目地間隔で配列し接着し、タイル一体型防水シート１を作製した。
【産業上の利用可能性】
【００２０】
本考案のタイル一体型防水シートは、屋上、ルーフバルコニー、開放廊下、バルコニー等における防水層の形成および防水改修工事に好適に利用することができる。
【符号の説明】
【００２１】
１    タイル一体型防水シート
２    陶磁製タイル
３    防水材シート
４    粘着剤層
５    剥離シート
６    目地
７    接着剤層
８    芯材
１０    アスファルト
１１    アスファルトシート
１２    プラスチックフィルム
【図１】
0003200478.tif 000003
【図２】
0003200478.tif 000004